(57)【要約】【課題】  路上に排泄されたフンの処理において、バネ性を有するＶ字形等の本体を形成し、内側に挟持部を設け、フン収容袋の底部を取り付け、本体を包み込むように裏返し、袋越しにフンを挟み取るフン処理具を提供する。【解決手段】  バネ性を有した支点部（２）の両端に相対する支持アーム（３）を設け、Ｖ字形等の本体（１）を形成し、支持アーム（３）の先端にフン挟み部（４）を設け、片方の支持アーム（３）の内側にフン収容袋（６）を保持する挟持板（５）を設けたことを特徴とする。【選択図】図１
2014000065.tif 000002
【特許請求の範囲】
【請求項１】
バネ性を有した支点部の両端に相対する支持アームを設け、Ｖ字形等の本体を形成し、支持アームの先端にフン挟み部を設け、片方の支持アームの内側にフン収容袋を保持する挟持板を設けたフン処理具。
【発明の詳細な説明】
【技術分野】
【０００１】  バネ性を有したＶ字形等の本体を形成し、内側に挟持部を設け、フン収容袋の底部を挟持部に取り付け、本体を包み込むように裏返し、袋越しにペットのフンを挟み取るフン処理具に関するものである。
【背景技術】
【０００２】  従来、犬の散歩をするとき、路上に排泄したフンの処理は、フンに紙を被せビニール袋等に手をいれて掴み取る。または、フンを挟み取る長バサミ等の処理具があった。
【発明の概要】
【発明が解決しようとする課題】
【０００３】  これは、次のような問題があった。
路上に排泄したフンの処理においては、フンに紙を被せビニール袋等に手を入れて掴み取る場合、フンを掴むときの感触が不快なものであり衛生面でも良い処理方法ではない。
また、フンを挟み取る長バサミ等においては、フンを挟み取って別に用意した袋に入れる作業があり、特に、柔らかめのフンを処理する場合、一回で挟み取ることができず、複数回フンを挟んでは袋に入れる作業を行なうことになり、犬をつれているため面倒になるものであった。
【課題を解決するための手段】
【０００４】  バネ性を有した支点部（２）の両端に相対する支持アームを（３）設け、Ｖ字形等の本体（１）を形成し、支持アーム（３）の先端にフン挟み部（４）を設け、片方の支持アーム（３）の内側に挟持板（５）を設ける。
本発明は、以上の構成よりなるフン処理具である。
【発明の効果】
【０００５】  イ）  挟持板は、支持アームと接する挟持部に適度な圧力を掛けることで、挟み込んだ  フン収容袋を裏返すときや、表返すときに支持アームから外れないように挟持する。
ロ）  支持アームの先端を内側に屈曲させてフン載せ部を設けたフン挟み部が、フン収  容袋越にフンの両下側からすくい上げるように挟み取るので、フンの硬さに関係なく確  実にフン収容袋に収容でき、凹凸に切り欠いた先端部は、フン収容袋と地面の接する部  分を少なくして摩擦を軽減するため、フン収容袋に傷がつきにくい。また、手で掴むこ  とが無くなるので手に伝わる不快な感触からも開放される。
ハ）  裏返したフン収容袋越しにフンを挟み取り、表返して本体からフン収容袋を取り  外すので、フンに直接触れた分は、袋の内側になり衛生面からも良い処理方法である。
【図面の簡単な説明】
【０００６】
【図１】本発明の斜視図である。
【図２】本発明の使用状態を示す側面図である。
【図３】本発明の使用状態を示す側面図である。
【図４】本発明の使用状態を示す側面図である。
【図５】本発明の使用状態を示す側面図である。
【図６】本発明の使用状態示す側面図である。
【図７】本発明の他の実施例を示す斜視図である。
【図８】本発明の他の実施例を示す側面図である。
【図９】本発明の他の実施例を示す斜視図である。
【図１０】本発明の他の実施例を示す挟持板取り付け部の分解図である。
【発明を実施するための形態】
【０００７】  以下、本発明を実施するための形態について説明する。
（イ）二股に成った、バネ性を有する支点部（２）の両端に相方の間隔を先端方向に向  け徐々に広くした支持アーム（３）を設け、Ｖ字形等の本体（１）を形成する。
（ロ）相方の支持アーム（３）は、支持アーム先端部（４ａ）でフン（１１）を挟むの  に必要な対向間隔を確保できる長さとし、支持アーム先端部（４ａ）から若干上部を内  側に屈曲させてフン載せ部（４ｂ）を設け、フン（１１）を挟んだときにフン載せ部（  ４ｂ）の側部（４ｃ）からフン（１１）が、落下しない程度にフン載せ部（４ｂ）の幅  を拡大し、支持アーム先端部（４ａ）を複数個所切り欠き凹凸を設けた、Ｌ型状のフン  挟み部（４）を設ける。
（ハ）片方の支持アーム（３）の内側中ほどに、フン収容袋（６）を挟み込む、挟持先  部（５ａ）をそり返したバネ性を有する挟持板（５）を設ける。挟持板（５）は、フン  収容袋（６）を挟み込んだとき、簡単に外れないように支持アーム（３）と接する挟持  部（５ｂ）に適度な摩擦を得るため挟持板（５）の取付け部（５ｃ）から支持アーム（  ３）と挟持板（５）の対向間隔を一旦広げ先端方向に向け徐々に狭め、挟持部（５ｂ）  で圧力が掛かった状態に設ける。
（二）図７で示すように、片方の支持アーム（３）の内側中ほどに、挟持片（１２ａ）  と開閉片（１２ｂ）からなる挟持板（１２）を設け、支持アーム（３）と挟持板（１２  ）の挟持部（１２ｃ）に適度な圧力が掛かるように、支持アーム（３）と挟持板（１２  ）の間にバネ材（１３）設ける。
（ホ）図９で示すように、片方の支持アーム（３）の内側中ほどに軸受け部（１４ａ）  を設け、挟持片（１５ａ）と開閉片（１５ｂ）からなる挟持板（１５）に軸受け部（１  ４ｂ）を設け、巻きバネ（１６）に通した軸材（１４）を軸受け部（１４ａ）と、軸受  け部（１４ｂ）に通す。
本発明は、以上のような構造である。
【０００８】  これを使用するときは、支持アーム（３）の内側に設けた挟持板（５）に図２で示すようにフン収容袋（６）の底部（７）をそり返した挟持先部（５ｃ）から差し込んで挟み込み、フン挟み部（４）と本体（１）を包み込むようにフン収容袋（６）を裏返し、フン挟み部（４）の間にフン収容スペース（９）設ける。図３で示すように、フン収容袋（６）に包み込まれた支持アーム（３）を指（１０）で摘み、フン（１１）の上からフン収容スペース（９）を被せる。図４で示すように、フン挟み部（４）を閉じれば、フン載せ部（４ｂ）にフン（１１）を両下側からすくい上げるように挟み取ることができる。
そして、フン挟み部（４）を閉じた状態のまま図５で示すようにフン収容袋（６）を表返し、フン挟み部（４）を開き、図６で示すようにフン収容袋（６）の上部（８）を引っ張り本体（１）から取り外せば、フン（１１）に触れることなく収容することができる。
また、図７で示すように、支持アーム（３）の内側に設けた、挟持板（１２）の開閉片（１２ｂ）を操作して挟持片（１２ａ）を開き、挟持部（１２ｃ）にフン収容袋（６）を挟み、バネ材（１３）の反発力でフン収容袋（６）を保持する。取り外すときは、挟持片（１２ａ）を開いて取り外す。または、フン収容袋（６）の上部（８）を引っ張っても取り外すことができる。
図９で示すように、挟持部（１５ｃ）に適度な挟持力を得るため、図１０で示すように、巻きバネ（１６）を使用してもよい。取り外すときは、挟持片（１５ａ）を開いて取り外す。または、フン収容袋（６）の上部（８）を引っ張っても取り外すことができる。
【符号の説明】
【０００９】  １      本体
２      支点部
３      支持アーム
４      フン挟み部
４ａ    支持アーム先端部
４ｂ    フン載せ部
４ｃ    側部
５      挟持板
５ａ    挟持先部
５ｄ    挟持部
５ｃ    取付け部
６      フン収容袋
７      底部
８      上部
９      フン収容スペース
１０    指
１１    フン
１２    挟持板
１２ａ  挟持片
１２ｂ  開閉片
１２ｃ  挟持部
１３    バネ材
１４    軸材
１４ａ  軸受け部
１４ｂ  軸受け部
１５    挟持板
１５ａ  挟持片
１５ｂ  開閉片
１５ｃ  挟持部
１６    巻きバネ
【図１】
2014000065.tif 000003
【図２】
2014000065.tif 000004
【図３】
2014000065.tif 000005
【図４】
2014000065.tif 000006
【図５】
2014000065.tif 000007
【図６】
2014000065.tif 000008
【図７】
2014000065.tif 000009
【図８】
2014000065.tif 000010
【図９】
2014000065.tif 000011
【図１０】
2014000065.tif 000012